(57)【要約】【課題】ユーザの人数が減少した場合の表示を制御する技術を提供する。【解決手段】受付部５２は、第１ユーザの存在と第２ユーザの存在の通知を受け付ける。制御部５８は、通知を受け付けた場合、表示装置２０の第１領域２２に第１ユーザ向けの画面を表示させるとともに、表示装置２０の第１領域２２とは異なった第２領域２４に第２ユーザ向けの画面を表示させる。受付部５２において受け付ける通知の内容が、第１ユーザの存在と第２ユーザの不在に切り替わる。制御部５８は、受け付けた通知の内容が切り替わった場合、第２ユーザ向けの画面以外の画面を第２領域２４に表示させる。【選択図】図２
2019139009.tif 000002
【特許請求の範囲】
【請求項１】
第１ユーザの存在と第２ユーザの存在の通知を受け付ける受付部と、
前記受付部が通知を受け付けた場合、表示装置の第１領域に第１ユーザ向けの画面を表示させるとともに、前記表示装置の前記第１領域とは異なった第２領域に第２ユーザ向けの画面を表示させる制御部とを備え、
前記受付部において受け付ける通知の内容が、第１ユーザの存在と第２ユーザの不在に切り替わり、
前記制御部は、前記受付部において受け付けた通知の内容が切り替わった場合、第２ユーザ向けの画面以外の画面を前記第２領域に表示させることを特徴とする表示制御装置。
【請求項２】
前記制御部は、前記受付部において受け付けた通知の内容が切り替わった場合、前記第１領域に表示させている画面以外の画面であって、かつ優先順位の高いアプリケーションの画面を前記第２領域に表示させることを特徴とする請求項１に記載の表示制御装置。
【請求項３】
前記制御部における優先順位は、第１ユーザによって過去に使用されたアプリケーションに対して高くすることを特徴とする請求項２に記載の表示制御装置。
【請求項４】
前記制御部は、第１ユーザの存在と第２ユーザの存在の通知を前記受付部が受け付けた場合、第１ユーザ向けの画面として少なくとも２つのアプリケーションの画面を前記第１領域に表示させ、
前記制御部は、前記受付部において受け付けた通知の内容が切り替わった場合、前記第１領域に表示させていた少なくとも２つのアプリケーションの画面のうち、１つのアプリケーションの画面を前記第１領域に表示させ、別の１つのアプリケーションの画面を前記第２領域に表示させることを特徴とする請求項１に記載の表示制御装置。
【請求項５】
前記制御部は、第１ユーザの存在と第２ユーザの存在の通知を前記受付部が受け付けた場合、第１ユーザ向けの画面として、ナビゲーション用のアプリケーションの地図画面を前記第１領域に表示させ、
前記制御部は、前記受付部において受け付けた通知の内容が切り替わった場合、前記ナビゲーション用のアプリケーションにおいて目的地が設定されていれば、目的地への経路に関連した付加情報の画面を前記第２領域に表示させ、前記ナビゲーション用のアプリケーションにおいて目的地が未設定であれば、目的地への経路に関連した付加情報の画面以外の画面を前記第２領域に表示させることを特徴とする請求項１に記載の表示制御装置。
【請求項６】
前記制御部は、第１ユーザの存在と第２ユーザの存在の通知を前記受付部が受け付けた場合、第１ユーザ向けの画面として、非表示の情報を含むアプリケーションの画面を前記第１領域に表示させ、
前記制御部は、前記受付部において受け付けた通知の内容が切り替わった場合、アプリケーションにおける非表示の情報の画面を前記第２領域に表示させることを特徴とする請求項１に記載の表示制御装置。
【請求項７】
前記受付部において受け付ける通知の内容が、第２ユーザの不在の代わりに第２ユーザの睡眠に切り替わり、
前記制御部は、前記受付部において受け付けた通知の内容が切り替わった場合、第２ユーザ向けの画面以外の画面を前記第２領域に表示させることを特徴とする請求項１に記載の表示制御装置。
【請求項８】
前記制御部は、前記受付部において受け付けた通知の内容が切り替わった場合、前記第１領域に表示させていた画面の一部を前記第１領域に表示させ、前記第１領域に表示させていた画面の残りを前記第２領域に表示させることを特徴とする請求項１に記載の表示制御装置。
【請求項９】
前記制御部は、前記受付部において受け付けた通知の内容が切り替わった場合、前記第２領域に表示させる画面の形態を、前記第１領域に表示させる画面の形態よりも見やすくなるように調節することを特徴とする請求項１から８のいずれかに記載の表示制御装置。
【請求項１０】
第１領域と第２領域とを有する表示装置と、
第１ユーザの存在と第２ユーザの存在を検出する検出装置と、
前記検出装置が第１ユーザの存在と第２ユーザの存在を検出した場合、前記表示装置の第１領域に第１ユーザ向けの画面を表示させるとともに、前記表示装置の前記第２領域に第２ユーザ向けの画面を表示させる表示制御装置とを備え、
前記検出装置の検出結果の内容が、第１ユーザの存在と第２ユーザの不在に切り替わり、
前記表示制御装置は、前記検出装置の検出結果の内容が切り替わった場合、第２ユーザ向けの画面以外の画面を前記第２領域に表示させることを特徴とする表示システム。
【請求項１１】
第１ユーザの存在と第２ユーザの存在の通知を受け付けるステップと、
通知を受け付けた場合、表示装置の第１領域に第１ユーザ向けの画面を表示させるとともに、前記表示装置の前記第１領域とは異なった第２領域に第２ユーザ向けの画面を表示させるステップと、
受け付ける通知の内容が、第１ユーザの存在と第２ユーザの不在に切り替わるステップと、
受け付けた通知の内容が切り替わった場合、第２ユーザ向けの画面以外の画面を前記第２領域に表示させるステップと、
を備えることを特徴とする表示制御方法。
【発明の詳細な説明】
【技術分野】
【０００１】
本発明は、表示制御技術、特に画面の表示を制御する表示制御方法およびそれを利用した表示制御装置、表示システムに関する。
【背景技術】
【０００２】
車両の高級化や大型化に伴って、２つのディスプレイ装置を接続した車載用装置が車両に搭載される。この車載用装置の操作性を向上するために、着座センサあるいはシートベルトの着脱センサにより検出したユーザの人数が１人であれば、１つの映像入力が全画面表示され、ユーザの人数が２人であれば、２つの映像入力が分割表示される（例えば、特許文献１参照）。
【先行技術文献】
【特許文献】
【０００３】
【特許文献１】特開２００７−２５６５４１号公報
【発明の概要】
【発明が解決しようとする課題】
【０００４】
ユーザの人数が２人から１人に変化した場合に、１つの映像入力を全画面表示するよりも、１人のユーザに関する２つのアプリケーションの画面をそれぞれ表示した方が利便性が高い場合もある。その際、どのようなアプリケーションの画面を表示すればよいかを定める必要がある。
【０００５】
本発明はこうした状況に鑑みなされたものであり、その目的は、ユーザの人数が減少した場合の表示を制御する技術を提供することにある。
【課題を解決するための手段】
【０００６】
上記課題を解決するために、本発明のある態様の表示制御装置は、第１ユーザの存在と第２ユーザの存在の通知を受け付ける受付部と、受付部が通知を受け付けた場合、表示装置の第１領域に第１ユーザ向けの画面を表示させるとともに、表示装置の第１領域とは異なった第２領域に第２ユーザ向けの画面を表示させる制御部とを備える。受付部において受け付ける通知の内容が、第１ユーザの存在と第２ユーザの不在に切り替わり、制御部は、受付部において受け付けた通知の内容が切り替わった場合、第２ユーザ向けの画面以外の画面を第２領域に表示させる。
【０００７】
本発明の別の態様は、表示システムである。この表示システムは、第１領域と第２領域とを有する表示装置と、第１ユーザの存在と第２ユーザの存在を検出する検出装置と、検出装置が第１ユーザの存在と第２ユーザの存在を検出した場合、表示装置の第１領域に第１ユーザ向けの画面を表示させるとともに、表示装置の第２領域に第２ユーザ向けの画面を表示させる表示制御装置とを備える。検出装置の検出結果の内容が、第１ユーザの存在と第２ユーザの不在に切り替わり、表示制御装置は、検出装置の検出結果の内容が切り替わった場合、第２ユーザ向けの画面以外の画面を第２領域に表示させる。
【０００８】
本発明のさらに別の態様は、表示制御方法である。この方法は、第１ユーザの存在と第２ユーザの存在の通知を受け付けるステップと、通知を受け付けた場合、表示装置の第１領域に第１ユーザ向けの画面を表示させるとともに、表示装置の第１領域とは異なった第２領域に第２ユーザ向けの画面を表示させるステップと、受け付ける通知の内容が、第１ユーザの存在と第２ユーザの不在に切り替わるステップと、受け付けた通知の内容が切り替わった場合、第２ユーザ向けの画面以外の画面を第２領域に表示させるステップと、を備える。
【０００９】
なお、以上の構成要素の任意の組合せ、本発明の表現を装置、システム、方法、プログラム、プログラムを記録した記録媒体、本装置を搭載した車両などの間で変換したものもまた、本発明の態様として有効である。
【発明の効果】
【００１０】
本発明によれば、ユーザの人数が減少した場合の表示を制御できる。
【図面の簡単な説明】
【００１１】
【図１】実施の形態に係る車両の室内を模式的に示す図である。
【図２】図１の車両の構成を示す図である。
【図３】図３（ａ）−（ｂ）は、図１の表示装置の表示の遷移の第１例を示す図である。
【図４】図３（ａ）−（ｂ）の地図画面を示す図である。
【図５】図５（ａ）−（ｂ）は、図１の表示装置の表示の遷移の第２例を示す図である。
【図６】図６（ａ）−（ｃ）は、図１の表示装置の表示の遷移の第３例を示す図である。
【図７】図６（ｃ）のルート情報画面を示す図である。
【図８】図８（ａ）−（ｂ）は、図１の表示装置の表示の遷移の第４例を示す図である。
【図９】図９（ａ）−（ｂ）は、図１の表示装置の表示の遷移の第５例を示す図である。
【図１０】図１０（ａ）−（ｂ）は、図１の表示装置の表示の遷移の第６例を示す図である。
【図１１】図１１（ａ）−（ｂ）は、図１の表示装置の表示の遷移の第７例を示す図である。
【図１２】図１２（ａ）−（ｂ）は、図１の表示装置の表示の遷移の第８例を示す図である。
【図１３】図２の表示制御装置による制御手順を示すフローチャートである。
【発明を実施するための形態】
【００１２】
本発明を具体的に説明する前に、概要を述べる。本実施の形態は、車両に搭載された表示装置に表示される画面を制御する表示制御装置に関する。表示装置は、車両の室内の前方において、運転席側から助手席側にわたるような横長の形状を有する。表示装置のうち、運転席側の表示領域（以下、「第１領域」という）と、助手席側の表示領域（以下、「第２領域」という）には異なった映像を表示可能である。車両には、運転席に座る運転者の存在と、助手席に座る同乗者の存在とをそれぞれ検出する検出装置が備えられており、検出装置の検出結果をもとに、表示制御装置は、第１領域と第２領域に表示すべき画面を制御する。ここでは、検出結果が、運転者と同乗者が存在している状態（以下、「第１状態」という）から、運転者が存在して、同乗者が存在していない状態（以下、「第２状態」という）に遷移する場合を説明の対象にする。第１状態において、表示制御装置は、運転者用のアプリケーションの画面を第１領域に表示させ、同乗者用のアプリケーションの画面を第２領域に表示させる。第２状態に遷移すると、表示制御装置は、運転者用のアプリケーションの画面を第１領域に継続して表示させながら、第２領域に表示させる画面を切りかえる。
【００１３】
以下、本発明の実施の形態について、図面を参照して詳細に説明する。なお、以下に説明する各実施の形態は一例であり、本発明はこれらの実施の形態により限定されるものではない。
【００１４】
図１は、車両１００の室内を模式的に示し、車両１００の車室内を後方から見た構成を示す。車両１００は、例えば、自動運転を実行可能であるが、自動運転を実行不可能であってもよい。車室内の前方には左右に延びるダッシュボード１０が配置され、ダッシュボード１０の上方にはフロントガラス１２が配置される。ダッシュボード１０の右側部分にステアリング１４が配置されており、ステアリング１４の後方に運転席１６が配置される。また、運転席１６と並んで助手席１８が配置される。つまり、右側に運転席１６が配置され、左側に助手席１８が配置される。
【００１５】
ダッシュボード１０には表示装置２０が設置される。表示装置２０は、例えば液晶ディスプレイであり、運転席１６側から助手席１８側まで延びるような横長の矩形状を有する。表示装置２０は、第１領域２２、第２領域２４、メータ表示領域２６、運転席側サイドカメラ表示領域２８、助手席側サイドカメラ表示領域３０のような複数の領域に分割される。具体的には、第１領域２２は、ダッシュボード１０の中央部分の運転席１６側に配置され、第２領域２４は、ダッシュボード１０の中央部分の助手席１８側に配置され、メータ表示領域２６は、第１領域２２の右側においてステアリング１４に対向するように配置される。さらに、右端には運転席側サイドカメラ表示領域２８が配置され、左端には助手席側サイドカメラ表示領域３０が配置される。
【００１６】
第１領域２２には、運転者に主として利用されるアプリケーション（以下、「運転者用アプリケーション」という）の画面が表示される。運転者用アプリケーションの一例は、ナビゲーションシステム、音楽再生アプリケーション、動画再生アプリケーション等である。第２領域２４には、同乗者に主として利用されるアプリケーション（以下、「同乗者用アプリケーション」という）の画面、運転者用アプリケーションの画面等が表示される。メータ表示領域２６には、メータの画面が表示される。運転席側サイドカメラ表示領域２８には、車両１００の右側面に設置された運転席側サイドカメラ３２において撮像された映像が表示される。助手席側サイドカメラ表示領域３０には、車両１００の左側面に設置された助手席側サイドカメラ３４において撮像された映像が表示される。
【００１７】
ここで、メータ表示領域２６が第１領域２２に含まれてもよい。また、メータ表示領域２６と運転席側サイドカメラ表示領域２８が第１領域２２に含まれ、助手席側サイドカメラ表示領域３０が第２領域２４に含まれてもよい。なお、図１においては、第１領域２２、第２領域２４、メータ表示領域２６、運転席側サイドカメラ表示領域２８、助手席側サイドカメラ表示領域３０にわたった１つの画面が表示されているが、ここでは、各領域に別の画面が表示される場合を説明する。
【００１８】
図２は、車両１００の構成を示す。ここでは、表示に関連する構成を中心に示す。車両１００は、検出装置４０、表示制御装置５０、表示装置２０を含む。表示制御装置５０は、受付部５２、アプリケーション処理部５４、記憶部５６、制御部５８、出力部６０、操作位置検出部９２、操作判断部９４を含み、表示装置２０は、第１領域２２、第２領域２４、タッチパネル９０を含む。
【００１９】
検出装置４０は、車両１００の室内、特に運転席１６周辺と助手席１８周辺とを撮像するための撮像機能を有する。検出装置４０は、撮像した映像から、運転席１６における運転者の存在と、助手席１８における同乗者の存在を検出する。これらの検出には画像認識処理が実行されるが、公知の技術が使用されればよいので、ここでは説明を省略する。なお、運転者を第１ユーザと呼ぶ場合、同乗者は第２ユーザと呼ばれる。前述のごとく、本実施の形態では、第１状態から第２状態への遷移を説明の対象とするので、検出装置４０は、運転者の存在と同乗者の存在をまず検出し、これに続いて、運転者の存在と同乗者の不在を検出する。検出装置４０は、検出結果を表示制御装置５０に出力する。
【００２０】
受付部５２は、検出装置４０に接続され、検出装置４０から検出結果を受けつける。ここでは、検出結果の内容が、運転者の存在と同乗者の存在から、運転者の存在と同乗者の不在に切り替わる。このように車内に存在するユーザの数が「２」から「１」に切り替わる。アプリケーション処理部５４は、運転者用アプリケーションを実行させるとともに、同乗者用アプリケーションを実行させる。なお、複数の運転者用アプリケーション、複数の同乗者用アプリケーションが実行されることもある。これらのアプリケーションの実行については公知の技術が使用されればよいので、ここでは説明を省略する。記憶部５６は、アプリケーション処理部５４において過去に実行された運転者用アプリケーションの履歴を記憶するとともに、アプリケーション処理部５４において過去に実行された同乗者用アプリケーションの履歴を記憶する。また、記憶部５６は、アプリケーションの優先順位を記憶する。
【００２１】
制御部５８は、アプリケーション処理部５４において実行される運転者用アプリケーションの画面、同乗者用アプリケーションの画面の表示を制御する。受付部５２において受けつけた検出結果が運転者の存在と同乗者の存在を示す場合、表示装置２０の第１領域２２に運転者用アプリケーションの画面を表示させるとともに、表示装置２０の第２領域２４に同乗者用アプリケーションの画面を表示させる。一方、受付部５２において受けつけた検出結果が運転者の存在と同乗者の不在に切り替わった場合、制御部５８は、表示装置２０の第１領域２２に運転者用アプリケーションの画面を表示させたまま、表示装置２０の第２領域２４に同乗者用アプリケーション以外のアプリケーションの画面を表示させる。制御部５８による制御は出力部６０から表示装置２０に出力される。
【００２２】
第１状態において、表示装置２０の第１領域２２には、運転者用アプリケーションの画面が表示され、第２領域２４には、同乗者用アプリケーションの画面が表示される。第２状態において、表示装置２０の第１領域２２には、運転者用アプリケーションの画面が表示され、第２領域２４には、同乗者用アプリケーション以外のアプリケーションの画面が表示される。以下では、表示装置２０において表示される画面を第１例から第８例の順に説明する。なお、タッチパネル９０、操作位置検出部９２、操作判断部９４については後述する。
【００２３】
（第１例）
図３（ａ）−（ｂ）は、表示装置２０の表示の遷移の第１例を示す。図３（ａ）は、第１状態での表示を示す。第１領域２２には、運転者用アプリケーションの画面として、ナビゲーションシステムの地図画面が表示される。図４は、地図画面を示す。ここで、地図画面は平面地図であるが、立体地図であってもよい。図３（ａ）に戻る。第２領域２４には、同乗者用アプリケーションの画面が表示される。また、記憶部５６には、過去に実行された運転者用アプリケーションとして、過去使用アプリケーション８０が記憶される。過去使用アプリケーション８０は、現在実行されている運転者用アプリケーションとは異なる。図３（ａ）において、過去使用アプリケーション８０は、ナビゲーションシステム以外のアプリケーションである。
【００２４】
図３（ｂ）は、第２状態での表示を示す。第１領域２２には、ナビゲーションシステムの地図画面が表示され続ける。第２領域２４には、過去使用アプリケーション８０の一例である音楽再生アプリケーションの音楽画面が表示される。なお、過去使用アプリケーション８０の代わりに、記憶部５６に記憶された優先順位の高い運転者用アプリケーションがアプリケーション処理部５４において実行され、その画面が第２領域２４に表示されてもよい。つまり、制御部５８は、受付部５２において受け付けた通知の内容が切り替わった場合、第１領域２２に表示させている画面以外の画面であって、かつ優先順位の高い運転者用アプリケーションの画面を第２領域２４に表示させてもよい。ここで、前述の過去使用アプリケーション８０は優先順位の高い運転者用アプリケーションであるといえる。また、使用頻度が高いほど優先順位が高くされてもよい。
【００２５】
（第２例）
図５（ａ）−（ｂ）は、表示装置２０の表示の遷移の第２例を示す。図５（ａ）は、第１状態での表示を示す。第１領域２２には、運転者用アプリケーションの画面として、ナビゲーションシステムの地図画面と音楽再生アプリケーションの音楽画面とが表示される。つまり、第１領域２２には、２つの運転者用アプリケーションの画面が表示される。３つ以上の運転者用アプリケーションの画面が表示されてもよい。運転者７０は、音楽を再生する際、第１領域２２中の音楽画面をタッチする。第１領域２２に対応したタッチパネル９０は、運転者７０によるタッチを検出する。操作位置検出部９２は、タッチパネル９０においてタッチされた位置を検出する。操作判断部９４は、操作位置検出部９２において検出された位置をもとに、音楽の再生操作を特定する。アプリケーション処理部５４は、操作判断部９４において特定された音楽の再生操作にしたがって、音楽再生アプリケーションの再生を実行する。第２領域２４には、同乗者用アプリケーションの画面が表示される。
【００２６】
図５（ｂ）は、第２状態での表示を示す。第１領域２２には、ナビゲーションシステムの地図画面だけが表示され、第２領域２４には、音楽再生アプリケーションの音楽画面だけが表示される。運転者７０は、音楽を再生する際、第２領域２４中の音楽画面をタッチする。第２領域２４に対応したタッチパネル９０は、運転者７０によるタッチを検出する。操作位置検出部９２は、タッチパネル９０においてタッチされた位置を検出する。操作判断部９４は、操作位置検出部９２において検出された位置をもとに、音楽の再生操作を特定する。アプリケーション処理部５４は、操作判断部９４において特定された音楽の再生操作にしたがって、音楽再生アプリケーションの再生を実行する。
【００２７】
つまり、第１状態において第１領域２２に表示させていた少なくとも２つの運転者用アプリケーションの画面のうち、１つの運転者用アプリケーションの画面が第１領域２２に表示され、別の１つの運転者用アプリケーションの画面が第２領域２４に表示される。ここでは、ナビゲーションシステムの優先順位が音楽再生アプリケーションの優先順位よりも高くされている。そのため、優先順位の高い方の運転者用アプリケーションの画面が第１領域２２に表示され、優先順位の低い方の運転者用アプリケーションの画面が第２領域２４に表示される。なお、第１状態において３つ以上の運転者用アプリケーションの画面が第１領域２２に表示されている場合、優先順位が一番高い運転者用アプリケーションの画面が第１領域２２に表示され、残りの運転者用アプリケーションの画面が第２領域２４に表示される。
【００２８】
（第３例）
図６（ａ）−（ｃ）は、表示装置２０の表示の遷移の第３例を示す。図６（ａ）は、第１状態での表示を示すが、図３（ａ）と同一である。ここで、第１領域２２に表示されたナビゲーションシステムには、目的地が設定されている場合もあれば、目的地が未設定である場合もある。目的地の設定については公知の技術が使用されればよいので、ここでは説明を省略する。
【００２９】
図６（ｂ）は、第２状態での表示であり、かつ目的地が設定されている場合の表示である。第１領域２２には地図画面が表示されたままである。目的地が設定されていれば、目的地への経路に関連した付加情報の画面が第２領域２４に表示される。目的地への経路に関連した付加情報の画面は、ナビゲーションシステムの画面であり、例えば、ルート情報の画面である。ルート情報とは、目的地への経路において走行すべき高速道路の情報、例えば、料金所の情報である。図７は、ルート情報画面を示す。図示のごとく、走行すべき高速道路、料金所が示される。図６（ｃ）は、第２状態での表示であり、かつ目的地が未設定である場合の表示である。図６（ｃ）は、図３（ｂ）と同一である。つまり目的地が未設定であれば、目的地への経路に関連した付加情報の画面以外の画面、例えば音楽画面が第２領域２４に表示される。ここで、音楽画面に対応した音楽再生アプリケーションは、図６（ａ）の過去使用アプリケーション８０に相当する。
【００３０】
（第４例）
図８（ａ）−（ｂ）は、表示装置２０の表示の遷移の第４例を示す。図８（ａ）は、第１状態での表示を示す。第１領域２２には、複数の選択肢を有するアプリケーションの画面が表示される。複数の選択肢とは、図示のごとく、ボタン「Ａ」からボタン「Ｉ」によって示されており、運転者がボタン「Ａ」を選択した場合、当該アプリケーションではボタン「Ａ」に対応した処理が実行される。他のボタンについても同様である。なお、このアプリケーションは、各ボタンの説明に関する情報、つまり操作ガイドが示された画面（以下、「説明画面」という）も表示可能であるが、説明画面は非表示とされている。つまり、第１領域２２には、非表示の情報を含むアプリケーションの画面が表示される。第２領域２４には、同乗者用アプリケーションの画面が表示される。
【００３１】
図８（ｂ）は、第２状態での表示を示す。第１領域２２は、図８（ａ）と同一である。第２領域２４には、説明画面が表示される。つまり、第１状態において非表示の情報の画面が第２領域２４に表示される。
【００３２】
（第５例）
図９（ａ）−（ｂ）は、表示装置２０の表示の遷移の第５例を示す。図５（ａ）は、第１状態での表示を示すが、図３（ａ）と同一である。図９（ｂ）は、第２状態での表示を示す。ここで、検出装置４０は、同乗者の不在の代わりに同乗者の睡眠を検出する。同乗者の睡眠の検出には画像認識処理が実行されるが、公知の技術が使用されればよいので、ここでは説明を省略する。そのため、受付部５２において受け付ける検出結果の内容が、同乗者の不在の代わりに同乗者の睡眠に切り替わる。制御部５８は、受付部５２において受け付けた通知の内容が同乗者の睡眠に切り替わった場合、これも第２状態であると判定する。その結果、図９（ｂ）のごとく、図３（ｂ）と同一の画面が表示される。例えば音楽画面が第２領域２４に表示される。ここで、音楽画面に対応した音楽再生アプリケーションは、図９（ａ）の過去使用アプリケーション８０に相当する。
【００３３】
（第６例）
図１０（ａ）−（ｂ）は、表示装置２０の表示の遷移の第６例を示す。図１０（ａ）は、第１状態での表示を示す。第１領域２２には、運転者用アプリケーションとして音楽再生アプリケーションの音楽画面が表示される。第２領域２４には、同乗者用アプリケーションの画面が表示される。図１０（ｂ）は、第２状態での表示を示す。第１領域２２には、第１状態において第１領域２２に表示された音楽画面のうちの一部、例えば操作可能な操作部品を含む音楽画面Ａが表示される。第２領域２４には、第１状態において第１領域２２に表示された音楽画面のうちの残り、例えば、「Ｄｉｓｃ  Ｊａｃｋｅｔ」を含む音楽画面Ｂが表示される。このような音楽画面Ａ、音楽画面Ｂは制御部５８において、操作部品の有無をもとに判定される。
【００３４】
（第７例）
図１１（ａ）−（ｂ）は、表示装置２０の表示の遷移の第７例を示す。図１１（ａ）は、第１状態での表示を示す。第１領域２２と第２領域２４には、複数の選択肢を有するアプリケーションの画面が表示される。ここでのアプリケーションは、運転者用アプリケーションと同乗者用アプリケーションに区別されず、運転者および同乗者に使用されうる。複数の選択肢として、第１領域２２にはボタン「Ａ」からボタン「Ｄ」が表示され、第２領域２４にはボタン「Ｅ」からボタン「Ｈ」が表示される。また、各ボタンの大きさは同一である。運転者がボタン「Ａ」を選択した場合、当該アプリケーションではボタン「Ａ」に対応した処理が実行される。他のボタンについても同様である。
【００３５】
第１１（ｂ）は、第２状態での表示を示す。第１領域２２におけるボタン「Ａ」からボタン「Ｄ」の表示は図１１（ａ）と同一である。一方、第２領域２４におけるボタン「Ｅ」からボタン「Ｈ」は、図１１（ａ）の場合よりも大きくされる。つまり、第２領域２４に表示させる画面の形態は、第１領域２２に表示させる画面の形態よりも見やすくなるように調節される。さらに、ボタン「Ｅ」とボタン「Ｇ」は、ボタン「Ｆ」とボタン「Ｈ」よりも運転者から遠い位置に配置されるので、ボタン「Ｅ」とボタン「Ｇ」は、ボタン「Ｆ」とボタン「Ｈ」よりも大きくされる。なお、ボタンの大きさを変えるのではなく、ボタンの表示色、表示の濃さを変えててもよい。
【００３６】
（第８例）
図１２（ａ）−（ｂ）は、表示装置２０の表示の遷移の第８例を示す。図１２（ａ）は、第１状態での表示を示す。第１領域２２には運転者用アプリケーションの画面が表示され、第２領域２４には同乗者用アプリケーションの画面が表示される。図１２（ｂ）は、第２状態での表示を示す。第１領域２２には運転者用アプリケーションの画面が表示され続ける。第２領域２４には、予め設定したウィジェット（時計情報、天気情報、ニュース、通知等)が表示される。つまり、記憶部５６は、第２状態の第２領域２４において表示すべき画面を予め記憶しており、制御部５８は、第２状態になると、記憶部５６に記憶した画面を表示する。
【００３７】
以上、本発明に係る実施の形態について図面を参照して詳述してきたが、上述した装置や各処理部の機能は、コンピュータプログラムにより実現されうる。上述した機能をプログラムにより実現するコンピュータは、キーボードやマウス、タッチパッドなどの入力装置、ディスプレイやスピーカなどの出力装置、ＣＰＵ（Ｃｅｎｔｒａｌ  Ｐｒｏｃｅｓｓｉｎｇ  Ｕｎｉｔ）、ＲＯＭ、ＲＡＭ、ハードディスク装置やＳＳＤ（Ｓｏｌｉｄ  Ｓｔａｔｅ  Ｄｒｉｖｅ）などの記憶装置、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）やＵＳＢメモリなどの記録媒体から情報を読み取る読取装置、ネットワークを介して通信を行うネットワークカードなどを備え、各部はバスにより接続される。
【００３８】
また、読取装置は、上記プログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。また、ＣＰＵが、記憶装置に記憶されたプログラムをＲＡＭにコピーし、そのプログラムに含まれる命令をＲＡＭから順次読み出して実行することにより、上記各装置の機能が実現される。
【００３９】
以上の構成による車両１００の動作を説明する。図１３は、表示制御装置５０による制御手順を示すフローチャートである。検出装置４０は、運転者の存在と同乗者の存在とを検出する（Ｓ１０）。表示制御装置５０は、表示装置２０の第１領域２２と第２領域２４に各ユーザ用のアプリケーションの画面を表示する（Ｓ１２）。検出装置４０が同乗者の不在を検出した場合（Ｓ１４のＹ）、表示制御装置５０は、表示装置２０の第１領域２２と第２領域２４に運転者用アプリケーションの画面を表示する（Ｓ１６）。検出装置４０が同乗者の不在を検出しない場合（Ｓ１４のＮ）、ステップ１６はスキップされる。
【００４０】
本実施の形態によれば、同乗者が存在から不在に切り替わった場合、同乗者向けの画面以外の画面を第２領域に表示させるので、ユーザの人数が減少した場合の表示を制御できる。また、同乗者向けの画面を第２領域に表示しないので、第２領域を有効活用できる。また、優先順位の高い運転者用アプリケーションの画面を第２領域に表示させるので、第２領域への表示の制御を自動的に実行できる。また、第２領域への表示の制御が自動的に実行されるので、ユーザの利便性を向上できる。また、過去に使用された運転者用アプリケーションの優先順位を高くするので、使用される可能性の高い運転者用アプリケーションの画面を第２領域に表示できる。また、２つの運転者用アプリケーションの画面のうち、１つの運転者用アプリケーションの画面を第１領域に表示させ、別の１つの運転者用アプリケーションの画面を第２領域に表示させるので、各運転者用アプリケーションの画面を見やすくできる。
【００４１】
また、目的地が設定されているか否かに応じて、第２領域に表示させる画面を変えるので、設定に適した画面を表示できる。また、運転者用アプリケーションにおける非表示の情報の画面を第２領域に表示させるので、運転者の利便性を向上できる。また、同乗者の睡眠が検出された場合、不在の場合と同様の表示がなされるので、運転者の利便性を向上できる。また、第１領域に表示させていた画面の一部を第１領域に表示させ、第１領域に表示させていた画面の残りを第２領域に表示させるので、第１領域と第２領域とを有効に利用できる。また、第２領域に表示させる画面の形態を、第１領域に表示させる画面の形態よりも見やすくなるように調節するので、運転者の視認性を向上できる。
【００４２】
本発明の一態様の概要は、次の通りである。本発明のある態様の表示制御装置は、第１ユーザの存在と第２ユーザの存在の通知を受け付ける受付部と、受付部が通知を受け付けた場合、表示装置の第１領域に第１ユーザ向けの画面を表示させるとともに、表示装置の第１領域とは異なった第２領域に第２ユーザ向けの画面を表示させる制御部とを備える。受付部において受け付ける通知の内容が、第１ユーザの存在と第２ユーザの不在に切り替わり、制御部は、受付部において受け付けた通知の内容が切り替わった場合、第２ユーザ向けの画面以外の画面を第２領域に表示させる。
【００４３】
この態様によると、通知の内容が切り替わった場合、第２ユーザ向けの画面以外の画面を第２領域に表示させるので、ユーザの人数が減少した場合の表示を制御できる。
【００４４】
制御部は、受付部において受け付けた通知の内容が切り替わった場合、第１領域に表示させている画面以外の画面であって、かつ優先順位の高いアプリケーションの画面を第２領域に表示させてもよい。この場合、優先順位の高いアプリケーションの画面を第２領域に表示させるので、第２領域への表示の制御を自動的に実行できる。
【００４５】
制御部における優先順位は、第１ユーザによって過去に使用されたアプリケーションに対して高くしてもよい。この場合、過去に使用されたアプリケーションの優先順位を高くするので、使用される可能性の高いアプリケーションの画面を第２領域に表示できる。
【００４６】
制御部は、第１ユーザの存在と第２ユーザの存在の通知を受付部が受け付けた場合、第１ユーザ向けの画面として少なくとも２つのアプリケーションの画面を第１領域に表示させ、制御部は、受付部において受け付けた通知の内容が切り替わった場合、第１領域に表示させていた少なくとも２つのアプリケーションの画面のうち、１つのアプリケーションの画面を第１領域に表示させ、別の１つのアプリケーションの画面を第２領域に表示させてもよい。この場合、２つのアプリケーションの画面のうち、１つのアプリケーションの画面を第１領域に表示させ、別の１つのアプリケーションの画面を第２領域に表示させるので、各アプリケーションの画面を見やすくできる。
【００４７】
制御部は、第１ユーザの存在と第２ユーザの存在の通知を受付部が受け付けた場合、第１ユーザ向けの画面として、ナビゲーション用のアプリケーションの地図画面を第１領域に表示させ、制御部は、受付部において受け付けた通知の内容が切り替わった場合、ナビゲーション用のアプリケーションにおいて目的地が設定されていれば、目的地への経路に関連した付加情報の画面を第２領域に表示させ、ナビゲーション用のアプリケーションにおいて目的地が未設定であれば、目的地への経路に関連した付加情報の画面以外の画面を第２領域に表示させてもよい。この場合、目的地が設定されているか否かに応じて、第２領域に表示させる画面を変えるので、設定に適した画面を表示できる。
【００４８】
制御部は、第１ユーザの存在と第２ユーザの存在の通知を受付部が受け付けた場合、第１ユーザ向けの画面として、非表示の情報を含むアプリケーションの画面を第１領域に表示させ、制御部は、受付部において受け付けた通知の内容が切り替わった場合、アプリケーションにおける非表示の情報の画面を第２領域に表示させてもよい。この場合、アプリケーションにおける非表示の情報の画面を第２領域に表示させるので、第１ユーザの利便性を向上できる。
【００４９】
受付部において受け付ける通知の内容が、第２ユーザの不在の代わりに第２ユーザの睡眠に切り替わり、制御部は、受付部において受け付けた通知の内容が切り替わった場合、第２ユーザ向けの画面以外の画面を第２領域に表示させてもよい。この場合、第２ユーザの睡眠が検出された場合、不在の場合と同様の表示がなされるので、第１ユーザの利便性を向上できる。
【００５０】
制御部は、受付部において受け付けた通知の内容が切り替わった場合、第１領域に表示させていた画面の一部を第１領域に表示させ、第１領域に表示させていた画面の残りを第２領域に表示させてもよい。この場合、第１領域に表示させていた画面の一部を第１領域に表示させ、第１領域に表示させていた画面の残りを第２領域に表示させるので、第１領域と第２領域とを有効に利用できる。
【００５１】
制御部は、受付部において受け付けた通知の内容が切り替わった場合、第２領域に表示させる画面の形態を、第１領域に表示させる画面の形態よりも見やすくなるように調節してもよい。この場合、第２領域に表示させる画面の形態を、第１領域に表示させる画面の形態よりも見やすくなるように調節するので、第１ユーザの視認性を向上できる。
【００５２】
本発明の別の態様は、表示システムである。この表示システムは、第１領域と第２領域とを有する表示装置と、第１ユーザの存在と第２ユーザの存在を検出する検出装置と、検出装置が第１ユーザの存在と第２ユーザの存在を検出した場合、表示装置の第１領域に第１ユーザ向けの画面を表示させるとともに、表示装置の第２領域に第２ユーザ向けの画面を表示させる表示制御装置とを備える。検出装置の検出結果の内容が、第１ユーザの存在と第２ユーザの不在に切り替わり、表示制御装置は、検出装置の検出結果の内容が切り替わった場合、第２ユーザ向けの画面以外の画面を第２領域に表示させる。
【００５３】
この態様によると、通知の内容が切り替わった場合、第２ユーザ向けの画面以外の画面を第２領域に表示させるので、ユーザの人数が減少した場合の表示を制御できる。
【００５４】
本発明のさらに別の態様は、表示制御方法である。この方法は、第１ユーザの存在と第２ユーザの存在の通知を受け付けるステップと、通知を受け付けた場合、表示装置の第１領域に第１ユーザ向けの画面を表示させるとともに、表示装置の第１領域とは異なった第２領域に第２ユーザ向けの画面を表示させるステップと、受け付ける通知の内容が、第１ユーザの存在と第２ユーザの不在に切り替わるステップと、受け付けた通知の内容が切り替わった場合、第２ユーザ向けの画面以外の画面を第２領域に表示させるステップと、を備える。
【００５５】
以上、本発明を実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【００５６】
本実施の形態では、検出装置４０は、画像認識処理により運転者の存在、同乗者の存在を検出する。しかしながらこれに限らず例えば、検出装置４０は、画像認識処理を実行せず、着座センサ、シートベルトの着脱センサにより運転者の存在、同乗者の存在を検出してもよい。本変形例によれば、構成の自由度を向上できる。
【００５７】
本実施の形態では、第２状態において、運転者が存在し、同乗者が不在になっている。しかしながらこれに限らず例えば、第２状態において、運転者が不在になり、同乗者が存在してもよい。この場合、これまでの説明における第１領域２２と第２領域２４とが逆になるとともに、運転者用アプリケーションと同乗者用アプリケーションとが逆になる。本変形例によれば、構成の自由度を向上できる。
【００５８】
本実施の形態では、ステアリング１４が右側に配置されている。しかしながらこれに限らず例えば、ステアリング１４が左側に配置されてもよい。この場合、表示装置２０には、左側から順に、運転席側サイドカメラ表示領域２８、メータ表示領域２６、第１領域２２、第２領域２４、助手席側サイドカメラ表示領域３０が配置される。また、運転席側サイドカメラ３２と助手席側サイドカメラ３４は逆に設置される。本変形例によれば、構成の自由度を向上できる。
【００５９】
本実施の形態では、運転席１６に座る運転者と、助手席１８に座る同乗者の有無に応じて表示を切りかえている。しかしながらこれに限らず例えば、後部座席の左右のそれぞれに座る同乗者の有無に応じて表示を切りかえてもよい。本変形例によれば、構成の自由度を向上できる。
【００６０】
本実施の形態では、１つの表示装置２０に第１領域２２、第２領域２４等の複数の領域が設けられている。しかしながらこれに限らず例えば、車両１００には複数の表示装置が設置され、各表示装置が第１領域２２、第２領域２４等であってもよい。本変形例によれば、構成の自由度を向上できる。
【産業上の利用可能性】
【００６１】
本発明によれば、ユーザの人数が減少した場合の表示を制御できる。
【符号の説明】
【００６２】
２０  表示装置、  ２２  第１領域、  ２４  第２領域、  ４０  検出装置、  ５０  表示制御装置、  ５２  受付部、  ５４  アプリケーション処理部、  ５６  記憶部、  ５８  制御部、  ６０  出力部、  １００  車両。
【図１】
2019139009.tif 000003
【図２】
2019139009.tif 000004
【図３】
2019139009.tif 000005
【図４】
2019139009.tif 000006
【図５】
2019139009.tif 000007
【図６】
2019139009.tif 000008
【図７】
2019139009.tif 000009
【図８】
2019139009.tif 000010
【図９】
2019139009.tif 000011
【図１０】
2019139009.tif 000012
【図１１】
2019139009.tif 000013
【図１２】
2019139009.tif 000014
【図１３】
2019139009.tif 000015